(57)【要約】【課題】  水分の影響を受けずに、良好に集音を行うことができる防水マイクを提供することにある。【解決手段】  ケース１の前壁２は、中央開口部２ａと、この中央開口部２ａから延びている二つの排水用開口部２ｂ，２ｂとを有する。上記前壁２の内側には、前室２０がある。雨等の水分が、この前室２０内に侵入しても、この水分は、上記前室２０の内面２０ａを伝って、上記排水用開口部２ｂから上記ケース１の外側へ、円滑に排出される。この結果、上記水分が上記前室２０内の第１の振動板１１に残留して付着することを防止して、上記中央開口部２ａおよび上記排水用開口部２ｂを経て上記第１の振動板１１によって収集される音圧の低下等を防止できる。【選択図】  図１Ａ
2006186848.tif 000002
【特許請求の範囲】
【請求項１】
前壁を有する筒状のケースと、
上記ケース内に上記前壁側から後方へ順に配置された第１の振動板、第２の振動板および電極板と
を備え、
上記前壁と上記第１の振動板との間に前室を形成し、
上記第１の振動板と上記第２の振動板との間に第１の隙間を形成し、
上記第２の振動板と上記電極板との間に第２の隙間を形成し、
上記電極板よりも後方に後室を形成し、
上記第１の隙間、上記第２の隙間および上記後室は、連通しており、
上記第１の隙間は、上記第１の振動板によって、上記前室に対して密封されており、
上記前壁は、上記前室の内面に重なる排水用開口部を有することを特徴とする防水マスク。
【請求項２】
請求項１に記載の防水マイクにおいて、
上記電極板は、上記第２の隙間と上記後室とを連通する孔部を有し、
上記第２の振動板は、上記第１の隙間と上記第２の隙間とを連通する絞り孔を有し、
この絞り孔は、上記第１の隙間の動的圧力変動を上記第２の隙間に実質的に伝えず、上記第１の隙間の静的圧力変動を上記第２の隙間に実質的に伝えるようになっていることを特徴とする防水マイク。
【請求項３】
請求項１に記載の防水マイクにおいて、
上記電極板は、上記第２の隙間と上記後室とを連通する孔部を有し、
上記第２の振動板および上記電極板の側面の外側に上記第１の隙間と上記後室とを連通する絞り通路を設け、
この絞り通路は、上記第１の隙間の動的圧力変動を上記後室に実質的に伝えず、上記第１の隙間の静的圧力変動を上記後室に実質的に伝えるようになっていることを特徴とする防水マイク。
【請求項４】
請求項１に記載の防水マイクにおいて、
上記ケース内に上記電極板の後方に背板を備え、
この背板は、上記後室と上記ケースの外側とを連通する通気孔を有することを特徴とする防水マイク。
【請求項５】
請求項４に記載の防水マイクにおいて、
上記背板の後面に、通気性を有する高分子フィルムを設けたことを特徴とする防水マイク。
【請求項６】
請求項１に記載の防水マイクにおいて、
上記第１の振動板の厚みは、上記第２の振動板の厚みと同じであり、または、上記第２の振動板の厚みよりも薄いことを特徴とする防水マイク。
【請求項７】
請求項１に記載の防水マイクにおいて、
上記排水用開口部は、複数あり、
この複数の排水用開口部は、上記前室の内面に沿って、配置されていることを特徴とする防水マイク。
【発明の詳細な説明】
【技術分野】
【０００１】
この発明は、例えば、雨や霧に曝されるなどの高湿度な場所、気圧の低い高山、気圧の高い水中でも広い周波数帯に亘って良好に集音することができる防水マイクロホン(以下、防水マイクと略称する)に関する。
【背景技術】
【０００２】
従来より、コンデンサ形の防水マイクは、前壁を有する筒状のケースと、上記ケース内に上記前壁側から後方へ順に配置された振動板および電極板とを備えていた。上記前壁と上記振動板との間に前室を形成していた。
【０００３】
そして、図９に示すように、上記ケース１０１の前壁１０２は、中央に、開口部１０２ａを有し、この開口部１０２ａは、上記前室１１０の内面１１０ａに重なっていない（特許３４８６１５１号公報：特許文献１参照）。
【０００４】
しかしながら、上記従来の防水マイクでは、図９に示すように、上記開口部１０２ａは、上記前室１１０の内面１１０ａに重なっていないので、雨等の水分が、上記前室１１０内に侵入した場合、この水分は、上記ケース１０１の外側に排出されにくく、上記前室１１０内に残留する。そして、上記前室１１０内にある水分は、上記振動板１２０に接触したままになって、上記振動板によって収集される音圧が、極端に減衰する。この結果、良好に集音を行うことができない問題があった。
【特許文献１】特許３４８６１５１号公報（図１）
【発明の開示】
【発明が解決しようとする課題】
【０００５】
そこで、この発明の課題は、水分の影響を受けずに、良好に集音を行うことができる防水マイクを提供することにある。
【課題を解決するための手段】
【０００６】
上記課題を解決するため、この発明の防水マイクは、
前壁を有する筒状のケースと、
上記ケース内に上記前壁側から後方へ順に配置された第１の振動板、第２の振動板および電極板と
を備え、
上記前壁と上記第１の振動板との間に前室を形成し、
上記第１の振動板と上記第２の振動板との間に第１の隙間を形成し、
上記第２の振動板と上記電極板との間に第２の隙間を形成し、
上記電極板よりも後方に後室を形成し、
上記第１の隙間、上記第２の隙間および上記後室は、連通しており、
上記第１の隙間は、上記第１の振動板によって、上記前室に対して密封されており、
上記前壁は、上記前室の内面に重なる排水用開口部を有することを特徴としている。
【０００７】
この発明の防水マイクによれば、雨等の水分が、上記前室内に侵入しても、この水分は、上記前室の内面を伝って、上記排水用開口部から上記ケースの外側へ、円滑に排出される。この結果、上記水分が上記第１の振動板に残留することを防止して、上記第１の振動板によって収集される音圧の低下等を防止できる。また、上記前室内にある上記水分は、上記第１の振動板によって、上記第１の隙間へ侵入することがない。
【０００８】
また、上記第１の隙間、上記第２の隙間および上記後室は、連通しているので、上記前室の圧力が変化しても、上記第１の隙間、上記第２の隙間および上記後室の圧力は、追従して、互いに、同じになる。従って、上記第２の振動板は、没入して上記電極板に接触したままになったり、突出して上記電極板との隙間が過度に広がったりせずに、音声に応じて正常に振動するので、広い周波数帯に亘って良好な集音を行なうことができる。
【０００９】
したがって、水分の影響や気圧の影響を受けずに、良好に集音を行うことができる防水マイクを提供できる。
【００１０】
また、一実施形態の防水マイクでは、
上記電極板は、上記第２の隙間と上記後室とを連通する孔部を有し、
上記第２の振動板は、上記第１の隙間と上記第２の隙間とを連通する絞り孔を有し、
この絞り孔は、上記第１の隙間の動的圧力変動を上記第２の隙間に実質的に伝えず、上記第１の隙間の静的圧力変動を上記第２の隙間に実質的に伝えるようになっている。
【００１１】
この一実施形態の防水マイクによれば、上記前室の圧力を、大気圧から漸増または漸減、つまり静的に増減した場合、これに対応して上記第１の隙間の圧力は静的に増減し、この増減は、上記第２の振動板の絞り孔を経て上記第２の隙間に実質的に伝わり、さらに、上記電極板の孔部を経て上記後室に伝わって、上記第１の隙間、上記第２の隙間および上記後室の圧力は、互いに、等しくなる。一方、上記第２の振動板の絞り孔は、集音すべき音声による上記第１の隙間の動的圧力変動を上記第２の隙間に実質的に伝えないので、上記第２の振動板は、音声に応じて振動する。したがって、簡単な構成で、上記第２の振動板を音声に応じて正常に振動させることができる。
【００１２】
また、一実施形態の防水マイクでは、
上記電極板は、上記第２の隙間と上記後室とを連通する孔部を有し、
上記第２の振動板および上記電極板の側面の外側に上記第１の隙間と上記後室とを連通する絞り通路を設け、
この絞り通路は、上記第１の隙間の動的圧力変動を上記後室に実質的に伝えず、上記第１の隙間の静的圧力変動を上記後室に実質的に伝えるようになっている。
【００１３】
この一実施形態の防水マイクによれば、上記前室の圧力を、大気圧から漸増または漸減、つまり静的に増減した場合、これに対応して上記第１の隙間の圧力は静的に増減し、この増減は、上記絞り通路を経て上記後室に実質的に伝わり、さらに、上記電極板の孔部を経て上記第２の隙間に伝わって、上記第１の隙間、上記第２の隙間および上記後室の圧力は、互いに、等しくなる。一方、上記絞り通路は、集音すべき音声による上記第１の隙間の動的圧力変動を上記後室に実質的に伝えないので、上記第２の振動板は、音声に応じて振動する。したがって、簡単な構成で、上記第２の振動板を音声に応じて正常に振動させることができる。
【００１４】
また、一実施形態の防水マイクでは、
上記ケース内に上記電極板の後方に背板を備え、
この背板は、上記後室と上記ケースの外側とを連通する通気孔を有している。
【００１５】
この一実施形態の防水マイクによれば、上記前室の圧力が変化しても、上記背板の通気孔によって、上記後室および上記ケースの外側の圧力は、互いに、等しくなる。すなわち、上記前室、上記第１の隙間、上記第２の隙間および上記後室の圧力は、互いに、同じになる。このように、上記ケースの外側の圧力が変化しても、上記第１の振動板の変形を抑制することができる。
【００１６】
また、一実施形態の防水マイクでは、上記背板の後面に、通気性を有する高分子フィルムを設けている。
【００１７】
この一実施形態の防水マイクによれば、上記高分子フィルムにより、空気のみを上記ケース内に導入または導出することができる。
【００１８】
また、一実施形態の防水マイクでは、上記第１の振動板の厚みは、上記第２の振動板の厚みと同じであり、または、上記第２の振動板の厚みよりも薄い。
【００１９】
この一実施形態の防水マイクによれば、上記第１の振動板に低域の周波数が加わった場合でも、上記第１の振動板の振動による上記第２の振動板の共振を防止することができる。
【００２０】
また、一実施形態の防水マイクでは、
上記排水用開口部は、複数あり、
この複数の排水用開口部は、上記前室の内面に沿って、配置されている。
【００２１】
この一実施形態の防水マイクによれば、上記前室内に侵入した水分を、上記複数の排水用開口部から上記ケースの外側へ、円滑に排出することができて、一層良好に集音を行うことができる。
【発明の効果】
【００２２】
この発明の防水マイクによれば、上記ケースの上記前壁は、上記前室の内面に重なる排水用開口部を有するので、水分の影響を受けずに、良好に集音を行うことができる。
【発明を実施するための最良の形態】
【００２３】
以下、この発明を図示の実施の形態により詳細に説明する。
【００２４】
（第１の実施形態）
図１Ａは、この発明の防水マイクの一実施形態である正面図を示している。図１Ｂは、図１ＡのＡ−Ａ断面図を示している。この防水マイクは、いわゆるコンデンサ形のマイクであり、前壁２を有する筒状のケース１と、上記ケース１内に上記前壁２側から後方へ順に配置された第１の振動板１１、第２の振動板１２、電極板１３および背板１４とを備える。
【００２５】
上記前壁２と上記第１の振動板１１との間に前室２０を形成する。上記第１の振動板１１と上記第２の振動板１２との間に第１の隙間２１を形成する。上記第２の振動板１２と上記電極板１３との間に第２の隙間２２を形成する。上記電極板１３と上記背板１４との間に後室２３を形成する。
【００２６】
上記第１の振動板１１は、（アルミ、鉄、ステンレスまたは銅等の）金属や、（プラスチック等の）樹脂からなる。上記第１の振動板１１は、第１のリング３１の後面に取り付けられている。上記第１のリング３１は、上記前壁２によって、上記ケース１から抜け止めされている。
【００２７】
上記第２の振動板１２は、合成樹脂板に金属を蒸着するとともに、表面を永久帯電させてなる。例えば、上記第２の振動板１２は、表面を永久帯電させた所謂エレクトレット材からなる。上記第２の振動板１２は、第２のリング３２の後面に取り付けられている。上記第２の振動板１２は、上記第１の隙間１１と上記第２の隙間１２とを連通する絞り孔１２ａを有する。
【００２８】
上記電極板１３は、上記第２の隙間２２と上記後室２３とを連通する孔部１３ａを有する。上記ケース１の内面には、環状の絶縁体１７が配置され、上記電極板１３は、上記絶縁体１７の内面に配置されている。
【００２９】
上記背板１４は、上記後室２３と上記ケース１の外側とを連通する通気孔１４ａを有する。上記背板１４は、例えば、ＰＣＢ（ポリ塩化ビフェニル）からなる。上記背板１４は、上記絶縁体１７の軸方向の後端面に、接触している。
【００３０】
上記背板１４の前面には、変換モジュール１９が取り付けられ、上記背板１４の後面には、プラスの出力端子１５およびマイナスの出力端子１６が取り付けられている。
【００３１】
上記電極板１３と上記背板１４との間に、かつ、上記絶縁体１７の内面に、電導板１８が配置されている。上記第２の振動板１２と上記絶縁体１７との間に、スペーサ３３が配置されている。
【００３２】
上記背板１４は、環状のホルダ３４によって、上記ケース１から抜け止めされている。上記ホルダ３４は、例えば、防水接着剤等によって、上記ケース１の内面に接着されている。また、上記第１のリング３１は、例えば、防水接着剤等によって、上記ケース１の内面に接着されている。
【００３３】
このように、上記第１の隙間２１、上記第２の隙間２２および上記後室２３は、連通している。また、上記第１の隙間２１は、上記第１の振動板１１によって、上記前室２０に対して密封されている。すなわち、上記前室２０および上記第１の隙間２１は、連通してない。
【００３４】
上記前壁２は、中央開口部２ａと、この中央開口部２ａから径方向の二方向に延びている二つの排水用開口部２ｂ，２ｂとを有する。上記中央開口部２ａは、略円形であり、上記排水用開口部２ｂは、略矩形である。すなわち、この二つの排水用開口部２ｂ，２ｂは、上記中央開口部２ａの内面から上記前壁２の周縁へ、放射状に延びている。
【００３５】
上記排水用開口部２ｂは、上記前室２０の内面２０ａに重なる。すなわち、上記前室２０の内面２０ａは、上記第１のリング３１の内面に相当する。
【００３６】
上記第２の振動板１２の絞り孔１２ａは、上記第１の隙間２１の（音声等による）動的圧力変動を、上記第２の隙間２２に実質的に（有意に）伝えない一方、上記第１の隙間２１の（標高または水深の徐々な増加等による）静的圧力変動を上記第２の隙間２２に実質的に伝えるような直径に設定されている。
【００３７】
上記第２の振動板１２および上記電極板１３等によって、音圧-電気信号変換部４を構成する。上記変換モジュール１９は、音声等による上記音圧-電気信号変換部４のインピーダンスを、外部の出力側回路のインピーダンスに等しくする。
【００３８】
上記変換モジュール１９は、図２の回路図に示すように、抵抗Ｒ１〜Ｒ７、容量Ｃ１〜Ｃ４およびエミッタフォロワをなす２段のトランジスタＱ１,Ｑ２を有して、上記音圧-電気信号変換部４から入力される微弱な電気信号を増幅するとともに、上記音圧-電気信号変換部４の高いインピーダンスを、上記出力端子１５,１６に繋がれる信号線やスピーカの低いインピーダンスに等しくするもので、これにより防水マイクの出力インピーダンスは、１００Ω以下に抑えられ、出力信号線が２００ｍ程度と長くなっても、良好に音声信号を伝送できることが確かめられた。また、上記変換モジュール１９は、上記プラスの出力端子１５を上記音声-電気信号変換部４への電力供給線に兼用した２線式伝送方式を用いているので、３線式よりも構成が簡素化されるという利点がある。
【００３９】
上記構成の防水マイクによれば、雨等の水分が、上記前室２０内に侵入しても、この水分は、上記前室２０の内面２０ａを伝って、上記排水用開口部２ｂから上記ケース１の外側へ、円滑に排出される。この結果、上記水分が上記第１の振動板１１に残留して付着することを防止して、上記中央開口部２ａおよび上記排水用開口部２ｂを経て上記第１の振動板１１によって収集される音圧の低下等を防止できる。また、上記前室２０内にある上記水分は、上記第１の振動板１１によって、上記第１の隙間２１へ侵入することがない。
【００４０】
また、上記第１の隙間２１、上記第２の隙間２２および上記後室２３は、連通しているので、上記前室２０の圧力が変化しても、上記第１の隙間２１、上記第２の隙間２２および上記後室２３の圧力は、追従して、互いに、同じになる。したがって、上記第２の振動板１２は、没入して上記電極板１３に接触したままになったり、突出して上記電極板１３との隙間が過度に広がったりせずに、音声に応じて正常に振動するので、広い周波数帯に亘って良好な集音を行なうことができる。
【００４１】
具体的に述べると、上記前室２０の圧力を、大気圧から漸増、つまり静的に増加する場合、これに対応して上記第１の隙間２１の圧力は静的に増加するが、圧縮された空気は、図１Ｂ中の矢印に示すように、上記第２の振動板１２の絞り孔１２ａを経て上記第２の隙間２２に実質的に伝わり、さらに、上記電極板１３の孔部１３ａを経て上記後室２３に伝わって、上記第１の隙間２１、上記第２の隙間２２および上記後室２３の圧力は、互いに、等しくなる。一方、上記第２の振動板１２の絞り孔１２ａは、集音すべき音声による上記第１の振動板１１および上記第１の隙間２１の動的圧力変動を上記第２の隙間２２に実質的に伝えないので、上記第２の振動板１２は、音声に応じて振動する。なお、上記前室２０の圧力を大気圧から減少した場合は、図１Ｂ中の矢印と反対方向に空気が流れる。
【００４２】
したがって、水分の影響や気圧の影響を受けずに、良好に集音を行うことができる防水マイクを提供できる。例えば、雨や霧に曝されるなどの高湿度な場所、気圧の低い高山、気圧の高い水中でも広い周波数帯に亘って良好に集音することができる。また、高速道路、原子力装置またはトンネルでの音収集に使用することができる。また、トランシーバーのマイクや、船舶の甲板での作業時の連絡用マイクとして利用できる。
【００４３】
また、上記前室２０の圧力が変化しても、上記背板１４の通気孔１４ａによって、上記後室２３および上記ケース１の外側の圧力は、互いに、等しくなる。すなわち、上記前室２０、上記第１の隙間２１、上記第２の隙間２２および上記後室２３の圧力は、互いに、同じになる。このように、上記ケース１の外側の圧力が変化しても、上記第１の振動板１１の変形を抑制することができる。
【００４４】
上記第１の振動板１１の厚みは、上記第２の振動板１２の厚みと同じであり、または、上記第２の振動板１２の厚みよりも薄いことが好ましく、上記第１の振動板１１に低域の周波数が加わった場合でも、上記第１の振動板１１の振動による上記第２の振動板１２の共振を防止することができる。
【００４５】
さらに、上記第１の振動板１１は、前方または後方へ、若干丸みを帯びて突出するように形成されることで、特定の周波数領域を確保することができ、良い特性を得ることができる。
【００４６】
なお、上記前壁２の前面を覆う面布を設けてもよく、上記前室２０へのゴミ等の侵入を防止する。
【００４７】
（第２の実施形態）
図３Ａと図３Ｂは、この発明の防水マイクの第２の実施形態を示している。上記第１の実施形態と相違する点を説明すると、この第２の実施形態では、上記ケース１の前壁２は、中央開口部２ｃと、上記前室２０の内面２０ａに沿って略等間隔に配置される四つの排水用開口部２ｄとを有する。上記前室２０の内面２０ａと上記排水用開口部２ｄとは、重なっている。上記中央開口部２ｃは、略円形であり、上記排水用開口部２ｄは、略円形であり、上記中央開口部２ｃと上記排水用開口部２ｄとは、離隔している。
【００４８】
このように、上記前室２０内に侵入した水分を、上記前室２０の内面２０ａを経て、上記複数の排水用開口部２ｄから上記ケース１の外側へ、円滑に排出することができて、一層良好に集音を行うことができる。
【００４９】
また、上記第２の実施形態では、上記電極板１３は、上記第２の隙間２２と上記後室２３とを連通する孔部１３ａを有している。上記第２の振動板１２および上記電極板１３の側面の外側に上記第１の隙間２１と上記後室２３とを連通する絞り通路１０を設けている。この絞り通路１０は、上記第１の隙間２１の動的圧力変動を上記後室２３に実質的に伝えず、上記第１の隙間２１の静的圧力変動を上記後室２３に実質的に伝えるようになっている。
【００５０】
上記絞り通路１０は、上記第２のリング３２、上記第２の振動板１２、上記スペーサ３３および上記電極板１３の外周面と上記ケース１の内面との間の隙間を含む。また、上記絶縁体１７および上記電導板１８は、環状でなく、例えば、横断面円弧状の柱体であり、複数ある。隣り合う上記絶縁体１７の間には、隙間がある。隣り合う上記電導板１８の間には、隙間がある。
【００５１】
そして、上記前室２０の圧力を、大気圧から漸増、つまり静的に増加する場合、これに対応して上記第１の隙間２１の圧力は静的に増加するが、圧縮された空気は、図３Ｂ中の矢印に示すように、上記絞り通路１０、上記隣り合う絶縁体１７の間の隙間、および、上記隣り合う電導板１８の間の隙間を、順に経て、上記後室２３に実質的に伝わり、さらに、上記電極板１３の孔部１３ａを経て上記第２の隙間２２に伝わって、上記第１の隙間２１、上記第２の隙間２２および上記後室２３の圧力は、互いに、等しくなる。一方、上記絞り通路１０は、集音すべき音声による上記第１の振動板１１および上記第１の隙間２１の動的圧力変動を上記後室２３に実質的に伝えないので、上記第２の振動板１２は、音声に応じて振動する。なお、上記前室２０の圧力を大気圧から減少した場合は、図３Ｂ中の矢印と反対方向に空気が流れる。
【００５２】
なお、上記絶縁体１７および上記電導板１８を、環状として、溝や孔を設けて、上記絞り通路１０と上記後室２３とを連通するようにしてもよい。
【００５３】
（第３の実施形態）
図４は、この発明の防水マイクの第３の実施形態を示している。上記第１の実施形態と相違する点を説明すると、この第３の実施形態では、上記背板１４の後面に、通気性を有する高分子フィルム４０を設けている。このように、上記高分子フィルム４０により、空気のみを上記ケース１内に導入または導出することができる。
【００５４】
また、上記第３の実施形態では、上記背板１４は、上記ケース１の後方開口端のカシメ部５によって、上記ケース１から抜け止めされている。このように、部品数の減少を図ることができる。
【００５５】
（第４の実施形態）
図５は、この発明の防水マイクの第４の実施形態を示している。上記第１の実施形態と相違する点を説明すると、この第４の実施形態では、上記前壁２は、径方向に略等間隔離れて並列されている複数の排水用開口部２ｅを有する。この排水用開口部２ｅは、略矩形であり、上記前壁２の周縁を貫くように、横向きに延びている。上記前壁２には、上記第１の実施形態の上記中央開口部２ａがない。上記排水用開口部２ｅは、上記前室２０の内面２０ａに重なる。
【００５６】
このように、上記前壁２（上記排水用開口部２ｅ）を簡単な構成にできて、集音および排水を確実に行うことができる。
【００５７】
（第５の実施形態）
図６は、この発明の防水マイクの第５の実施形態を示している。上記第１の実施形態と相違する点を説明すると、この第５の実施形態では、上記前壁２は、中央開口部２ｆと、この中央開口部２ｆから径方向の四方向に延びている四つの排水用開口部２ｇとを有する。上記複数の排水用開口部２ｇは、周方向に略等間隔離れて、位置している。上記中央開口部２ｆは、略円形であり、上記排水用開口部２ｇは、略矩形である。すなわち、この四つの排水用開口部２ｇは、上記中央開口部２ｆの内面から上記前壁２の周縁へ、放射状に延びている。上記排水用開口部２ｇは、上記前室２０の内面２０ａに重なる。
【００５８】
このように、上記排水用開口部２ｇの数量を増加することにより、集音および排水を一層良好に行うことができる。
【００５９】
（第６の実施形態）
図７は、この発明の防水マイクの第６の実施形態を示している。上記第１の実施形態と相違する点を説明すると、この第６の実施形態では、上記前壁２は、中央開口部２ｈと、この中央開口部２ｈから径方向の八方向に延びている八つの排水用開口部２ｉとを有する。上記複数の排水用開口部２ｉは、周方向に略等間隔離れて、位置している。上記中央開口部２ｈは、略円形であり、上記排水用開口部２ｉは、略矩形である。すなわち、この八つの排水用開口部２ｉは、上記中央開口部２ｈの内面から上記前壁２の周縁へ、放射状に延びている。上記排水用開口部２ｉは、上記前室２０の内面２０ａに重なる。
【００６０】
このように、上記排水用開口部２ｉの数量を増加することにより、集音および排水を一層良好に行うことができる。
【００６１】
（第７の実施形態）
図８Ａと図８Ｂは、この発明の防水マイクの第７の実施形態を示している。上記第２の実施形態と相違する点を説明すると、この第７の実施形態では、上記ケース１の内部に内側ケース５１を有する。この内側ケース５１は、上記ケース１の前壁２に対向する前壁５２を有する。上記内側ケース５１の前壁５２は、中央開口部５２ａを有する。
【００６２】
上記内側ケース５１の内部には、上記内側ケース５１の前壁５２から後方へ順に、上記第２のリング３２、上記第２の振動板１２、上記スペーサ３３、上記電極板１３、上記電導板１８、上記背板１４および上記ホルダ３４が配置されている。また、上記スペーサ３３と上記背板１４との間には、上記絶縁体１７が配置されている。
【００６３】
上記ケース１の前壁２と上記内側ケース５１の前壁５２との間には、隙間があり、この隙間には、上記ケース１の前壁２から後方へ順に、スペーサ３５、上記第１の振動板１１および上記第１のリング３１が配置されている。
【００６４】
上記第１の振動板１１は、上記内側ケース５１の前壁５２の中央開口部５２ａを覆っている。上記第１のリング３１は、上記内側ケース５１の前壁５２の前面に、例えば、防水接着剤によって、接着されている。
【００６５】
すなわち、上記ケース１の前壁２と上記第１の振動板１１との間に、上記前室２０を形成する。上記第１の振動板１１と上記第２の振動板１２との間に、上記第１の隙間２１を形成する。上記第１の隙間２１は、上記第１の振動板１１によって、上記前室２０に対して密封されている。
【００６６】
上記絞り通路１０は、上記第２のリング３２、上記第２の振動板１２、上記スペーサ３３および上記電極板１３の外周面と上記内側ケース５１の内面との間の隙間を含む。また、上記絶縁体１７および上記電導板１８は、環状でなく、例えば、横断面円弧状の柱体であり、複数ある。隣り合う上記絶縁体１７の間に、隙間がある。隣り合う上記電導板１８の間に、隙間がある。
【００６７】
そして、上記前室２０の圧力を、大気圧から漸増、つまり静的に増加する場合、これに対応して上記第１の隙間２１の圧力は静的に増加するが、圧縮された空気は、図８Ｂ中の矢印に示すように、上記絞り通路１０、上記隣り合う絶縁体１７の間の隙間、および、上記隣り合う電導板１８の間の隙間を、順に経て、上記後室２３に実質的に伝わり、さらに、上記電極板１３の孔部１３ａを経て上記第２の隙間２２に伝わって、上記第１の隙間２１、上記第２の隙間２２および上記後室２３の圧力は、互いに、等しくなる。一方、上記絞り通路１０は、集音すべき音声による上記第１の振動板１１および上記第１の隙間２１の動的圧力変動を上記後室２３に実質的に伝えないので、上記第２の振動板１２は、音声に応じて振動する。なお、上記前室２０の圧力を大気圧から減少した場合は、図８Ｂ中の矢印と反対方向に空気が流れる。
【００６８】
上記ケース１の前壁２は、中央開口部２ｊと、上記前室２０の内面２０ａに沿って略等間隔に配置される四つの排水用開口部２ｋとを有する。上記前室２０の内面２０ａと上記排水用開口部２ｋとは、重なっている。上記中央開口部２ｊは、略円形であり、上記排水用開口部２ｋは、略円形であり、上記中央開口部２ｊと上記排水用開口部２ｋとは、離隔している。
【００６９】
このように、この第７の実施形態の防水マイクは、上記内側ケース５１を有するので、強度が大きくなる。また、上記ケース１の前壁２と上記第１の振動板１１との間に、上記スペーサ３５を有するので、上記前室２０を十分に確保できて、上記第１の振動板１１への水分の付着を防止すると共に、上記前室２０内に水分が侵入しても、この水分を上記排水用開口部２ｋから上記ケース１の外側へ円滑に排除できる。また、上記第１の振動板１１と上記第２の振動板１２との間に、上記内側ケース５１の前壁５２があるので、上記第１の振動板１１が、上記第２の振動板１２に、不用意に接触することを防止する。
【００７０】
なお、この発明は上述の実施形態に限定されない。例えば、上記変換モジュール１９が、受信すべき周波数帯に応じた複数のイコライザと、圧力センサと、この圧力センサの検出信号に基づいて上記イコライザを選択して作動させる制御部とを有するようにしてもよい。したがって、上記圧力センサが、水深に応じて増加する上記ケース１内の気圧を検出し、この検出信号に基づいて上記制御部が、例えば水中会話の集音信号の周波数帯を、陸上で聴かれるその音声の通常の周波数帯に変換するようなイコライザを選んで作動させる。つまり、上記防水マイクでは、選択された適正なイコライザによって、媒体によって異なる音波伝達特性に起因する集音信号の特性の補正や感度の補正を行なうことができる。
【図面の簡単な説明】
【００７１】
【図１Ａ】本発明の防水マイクの第１実施形態を示す正面図である。
【図１Ｂ】図１ＡのＡ−Ａ断面図である。
【図２】変換モジュールの回路図である。
【図３Ａ】本発明の防水マイクの第２実施形態を示す正面図である。
【図３Ｂ】図３ＡのＡ−Ａ断面図である。
【図４】本発明の防水マイクの第３実施形態を示す要部断面図である。
【図５】本発明の防水マイクの第４実施形態を示す正面図である。
【図６】本発明の防水マイクの第５実施形態を示す正面図である。
【図７】本発明の防水マイクの第６実施形態を示す正面図である。
【図８Ａ】本発明の防水マイクの第７実施形態を示す正面図である。
【図８Ｂ】図８ＡのＡ−Ａ断面図である。
【図９】従来の防水マイクを示す正面図である。
【符号の説明】
【００７２】
１    ケース
２    前壁
２ａ，２ｃ，２ｆ，２ｈ，２ｊ    中央開口部
２ｂ，２ｄ，２ｅ，２ｇ，２ｉ，２ｋ    排水用開口部
１０    絞り通路
１１    第１の振動板
１２    第２の振動板
１２ａ    絞り孔
１３    電極板
１３ａ    孔部
１４    背板
１４ａ    通気孔
２０    前室
２０ａ    内面
２１    第１の隙間
２２    第２の隙間
２３    後室
４０    高分子フィルム
【図１Ａ】
2006186848.tif 000003
【図１Ｂ】
2006186848.tif 000004
【図２】
2006186848.tif 000005
【図３Ａ】
2006186848.tif 000006
【図３Ｂ】
2006186848.tif 000007
【図４】
2006186848.tif 000008
【図５】
2006186848.tif 000009
【図６】
2006186848.tif 000010
【図７】
2006186848.tif 000011
【図８Ａ】
2006186848.tif 000012
【図８Ｂ】
2006186848.tif 000013
【図９】
2006186848.tif 000014